(57)【要約】【課題】広告宣伝媒体としても機能する表示方法を提供する。【解決手段】レシピ作業を手順ごとに順次音声ガイドすると共に、映像表示するステップと、調理手順の進行を促すためのキー操作を行うステップと、次の調理手順に至るまでに要する調理時間に、プロモーション映像を表示するステップとを有する。手順確認キーを指定して始めて次の調理手順（料理ステップ）に進行することから、顧客の調理レベルに応じたスピードで調理を進めることができる。次の調理手順までは調理の実時間を用意し、その時間が経過して始めて次の調理手順に移行する。次の調理手順に移るまでの間は、プロモーション映像を表示する。プロモーション映像はインスタント食品のメーカ（製造元あるいは販売元）に関するプロモーション映像に限らず、記録媒体の提供者（スポンサー）に関する広告宣伝や販売促進のための映像および音声情報である。【選択図】        図９
2005044332.tif 000002
【特許請求の範囲】
【請求項１】
調理手順がほぼ固定されたインスタント食品のレシピ情報を表示するためにコンピュータを、
初期メニュー画面を表示する手段、
当該初期メニュー画面より上記インスタント食品を調理するための調理項目が選択されたとき、当該調理項目に関するレシピ作業を調理手順ごとに順次音声ガイドする手段、
上記調理手順に関する映像を当該調理手順ごとに順次表示する手段、
特定の調理手順が選択されたとき、当該調理手順に関する映像表示と共に、当該映像表示に続けてプロモーション映像を表示する手段、
レシピ作業が完了したときに表示される手順確認キーが操作されたとき、上記初期メニュー画面を表示する手段
として機能させることを特徴とするレシピ情報表示方法。
【請求項２】
上記調理手順に関する映像およびプロモーション映像は、動画または静止画である
ことを特徴とする請求項１記載のレシピ情報表示方法。
【請求項３】
調理手順がほぼ固定されたインスタント食品のレシピ情報を表示するためにコンピュータを、
初期メニュー画面を表示する手段、
当該初期メニュー画面より上記インスタント食品を調理するための調理項目が選択されたとき、当該調理項目に関するレシピ作業を調理手順ごとに順次音声ガイドする手段、
上記調理手順に関する映像を当該調理手順ごとに順次表示する手段、
特定の調理手順が選択されたとき、当該調理手順に関する映像表示と共に、当該映像表示に続けてプロモーション映像を表示する手段、
レシピ作業が完了したときに表示される手順確認キーが操作されたとき、上記初期メニュー画面を表示する手段
として機能させるためのレシピ情報表示プログラムを記録したコンピュータ読み取り可能な記録媒体。
【請求項４】
上記調理手順に関する映像およびプロモーション映像は、動画または静止画である請求項１記載のレシピ情報表示プログラムを記録したコンピュータ読み取り可能か記録媒体。
【請求項５】
上記記録媒体は、ディスク状記録媒体である請求項３記載のレシピ情報表示プログラムを記録したコンピュータ読み取り可能な記録媒体。
【発明の詳細な説明】
【技術分野】
【０００１】
この発明は、調理手順ごとに当該調理手順を順次映像表示すると共に、特定の調理手順では当該調理手順に関する映像表示に続けてプロモーション映像を表示することのできるレシピ情報表示方法およびそのレシピ情報表示プログラムを記録したコンピュータ読み取り可能な記録媒体に関する。
【背景技術】
【０００２】
グルメ指向の昨今、本格的なレストランで味わうのと同じような料理を家庭でも再現できるようにするため、色々な形態のレシピが登場している。その一助として、特許文献１に示すように、インターネットなどの通信回線網に接続されたサーバに、多くの食材とそれに対応したレシピを用意し、顧客に合ったレシピを提供できるようにしたレシピ提供システムが提案されている。
【０００３】
一方では、レトルト食品などのインスタント食品が広く家庭内に普及しつつあり、手軽に本場の味を楽しめるため、インスタント食品は特に若者に人気がある。このようなインスタント食品では、その作り方、レシピ（調理方法）は、インスタント食品の蓋やインスタント食品本体に印刷されている場合が殆どである。あるいはペーパに簡単な調理の手順が書かれており、したがってインスタント食品利用者はこの調理手順を読みながら調理することになる。
【０００４】
【特許文献１】特開２００２−１８３３１３号公報
【発明の開示】
【発明が解決しようとする課題】
【０００５】
特許文献１に開示されたレシピ提供システムなどでは、極めて大掛かりなシステムを構築しなければならず、またインスタント食品のような簡易食品に関するレシピには適用しにくい。インスタント食品などでは、むしろ現在のような「レシピの作り方」として提供される文章による方が手軽で、利用しやすい。
【０００６】
ところで、このようなインスタント食品といえども、読みながら調理をすることになるため、調理に不慣れな人にとっては、簡単な調理手順であっても、節目、節目での調理をスムーズに行うのが以外と分かりにくい場合がある。調理手順を読みながら調理を行うのは以外と苦痛に感じる場合があり、またそのような場合にはインスタント食品側から提供される推奨味を十分に引き出せないこともあり得る。
【０００７】
このような問題は音声や映像媒体を活用することで、解決できる場合が多い。
例えばある料理の調理方法を音声ガイドで行ったり、映像を見せながら音声ガイドで調理の手順を教授する方法である。
【０００８】
この方法では、顧客の調理レベルに拘わらず、調理が進行してしまうおそれがある。さらにこれらのインスタント食品の場合には幾つかのステップで調理が終了する場合が多い反面、ある調理手順ではその調理時間を指定する場合があり、その場合には調理手順を示す映像の表示時間も指定された調理時間に合わせた方が失敗が少ないと考えられる。
【０００９】
このように調理時間を指定した調理手順があるときには、次の調理手順までの間は、何もしないで待機しなければならず、無駄な時間を費やすことになる。
例えば、インスタント食品としてラーメンやうどんの場合、お湯を注いでからは、麺が柔らかくなるまでの２分ないし３分の間は、何もすることがなく手持ちぶさたとなる。
【００１０】
そこで、この発明はこのような従来の課題を解決したものであって、調理手順を音声と映像で順次ガイドすると共に、調理時間が指定されているような特定の調理手順のときは、上述した音声と映像によるガイドに加え、調理手順に関する映像表示の後に続けて、指定されている調理時間に見合ったプロモーション映像を表示するようにしたものであり、このように次の調理手順に至るまでの待ち時間の間だけプロモーション映像を表示することで、顧客の手持ちぶさたな時間をなくし、一方では関連食品や、あるいは全く当該レシピとは全く関係はないが、商品購買層に着目した商品やサービスに関するプロモーションの機会を与えることができるようにしたものである。
【課題を解決するための手段】
【００１１】
上述した課題を解決するため、特許請求の範囲の請求項１に記載したように、この発明に係るレシピ情報表示方法は、調理手順がほぼ固定されたインスタント食品のレシピ情報を表示するためにコンピュータを、
初期メニュー画面を表示する手段、
当該初期メニュー画面より上記インスタント食品を調理するための調理項目が選択されたとき、当該調理項目に関するレシピ作業を調理手順ごとに順次音声ガイドする手段、
上記調理手順に関する映像を当該調理手順ごとに順次表示する手段、
特定の調理手順が選択されたとき、当該調理手順に関する映像表示と共に、当該映像表示に続けてプロモーション映像を表示する手段、
レシピ作業が完了したときに表示される手順確認キーが操作されたとき、上記初期メニュー画面を表示する手段として機能させることを特徴とする。
【００１２】
また、請求項３に記載したようにこの発明に係るレシピ情報表示プログラムを記録したコンピュータ読み取り可能な記録媒体は、調理手順がほぼ固定されたインスタント食品のレシピ情報を表示するためにコンピュータを、
初期メニュー画面を表示する手段、
当該初期メニュー画面より上記インスタント食品を調理するための調理項目が選択されたとき、当該調理項目に関するレシピ作業を調理手順ごとに順次音声ガイドする手段、
上記調理手順に関する映像を当該調理手順ごとに順次表示する手段、
特定の調理手順が選択されたとき、当該調理手順に関する映像表示と共に、当該映像表示に続けてプロモーション映像を表示する手段、
レシピ作業が完了したときに表示される手順確認キーが操作されたとき、上記初期メニュー画面を表示する手段として機能させるためのレシピ情報表示プログラムをコンピュータが読み取り可能なように記録したものである。
【００１３】
この発明では、初期メニュー画面よりインスタント食品を調理するための調理項目が選択されたとき、当該調理項目に関するレシピ作業を調理手順ごとに順次音声ガイドする。そして、調理手順に関する映像を調理手順ごとに順次表示する。
【００１４】
特定の調理手順が選択されたときには、当該調理手順に関する映像表示と共に、当該映像表示に続けてプロモーション映像を表示する。例えば、調理時間が推奨時間として指定されているときには、当該調理手順に関する映像表示に続けて、推奨時間に見合った時間だけプロモーション映像を表示する。
【００１５】
こうすれば、通常は待ち時間で、手持ちぶさたな時間帯を有効に利用できるようになる。プロモーション映像の表示が終了すると、次の調理手順の映像が表示されるから、プロモーション映像を表示することによって調理が途切れるようなことはない。
【００１６】
麺類などのインスタント食品に、レシピ情報表示プログラムを記録したコンピュータ読み取り可能なこの記録媒体を「おまけ（景品）」として添付した融合商品として販売する場合には、この記録媒体を広告媒体（プロモーション媒体）として利用できる。
【００１７】
インスタント食品などは販売個数が非常に多いため、インスタント食品などは記録媒体にとっては極めて有効な介添え媒体（配給媒体）と言える。これによって記録媒体単体を広告宣伝媒体などとして使用する場合に比し、広告宣伝費や販売促進費を大幅に節約できる。
【００１８】
プロモーションとしては、これから配給が予定されている映画のリミックス版やメイキング版、アイドルオーディション、お笑いタレントによる漫才やコント、漫談、あらゆる映像・音楽・ＤＶＤメディアで提供されるゲームソフト（予告を含む）、タレントや俳優、アイドルを起用した英会話教室、タレントがお奨めする映画やテレビ番組など、そのジャンルは特に問わないが、購買客層（購買層）にあったジャンルのプロモーション映像が好ましい。これは同じインスタント食品であったとしても、客層によって、例えば１０代の前半と後半の世代、２０代の前半の世代のように、世代ごとに味などを微妙に変えて販売されているからである。
【００１９】
上述したプロモーション映像には、動画の他に、場合によっては静止画や、音声を含むものとする。プロモーション映像は基本的には、記録媒体提供者（スポンサー）側によって企画される。レシピに関する映像は、記録媒体提供者側に委託することもできれば、当該映像情報をデータとして提供してもよい。
【００２０】
推奨調理時間に要する間、このプロモーション映像を表示することで、推奨調理時間が守られることと、その間は広告宣伝に利用できるので、ユーザを飽きさせることもない。
【００２１】
融合する商品と離れて、単にプロモーション映像を記録した記録媒体を融合させて複合商品として販売することも可能である。
【発明の効果】
【００２２】
この発明では、調理項目に関するレシピ作業を調理手順ごとに順次音声および映像でガイドすると共に、特定の調理手順が選択されたときには、当該調理手順に関する映像表示と共に、当該映像表示に続けてプロモーション映像を表示するようにしたものである。
【００２３】
これによれば、通常は待ち時間で、手持ちぶさたな時間帯を有効に利用できるようになる。プロモーション映像の表示が終了すると、次の調理手順の映像が表示されるから、プロモーション映像を表示することによって調理が途切れてしまうようなこともない。
【００２４】
プロモーション映像はインスタント食品のメーカ（製造元あるいは販売元）に関するプロモーション映像に限らず、料理手順を記録した記録媒体の提供者（媒体提供者、スポンサー）に関するものでもよいので、飽きずにレシピ情報を表示することができる。
【発明を実施するための最良の形態】
【００２５】
続いて、この発明に係るレシピ情報表示方法およびその表示用プログラムを記録した記録媒体の好ましい実施例を図面を参照して詳細に説明する。レシピとしては、説明を簡単にするため麺類のインスタント食品を例示する。
【００２６】
この発明では、インスタント食品に関するレシピ情報を映像で表示すると共に、音声でガイドするための媒体（コンピュータ読み取り可能な記録媒体）が用意される。一般的には、このインスタント食品と一緒にこの記録媒体が提供される。記録媒体としては、インスタント食品およびプロモーションに関する映像と音声の双方を記録できるＤＶＤ−ＲＯＭ、ＣＤ−ＲＯＭなどのディスク状媒体が好適である。
【００２７】
図３は複合化した商品の一例であって、インスタント食品１０と上述した記録媒体２０とがパッケージングされて販売される。インスタント食品１０はその容器１０ａを有し、その中にインスタント材料（具材）１２が収められ、蓋１０ｂによって封印されたものである。
【００２８】
この例では、蓋１０ｂの上面に上述した記録媒体２０が載置され、その状態でさらに蓋（保護蓋）１４が被せられている。そして、この記録媒体２０を含めてフィルム１６により封印されて販売される。
【００２９】
インスタント食品を食するときは、添付されたこの記録媒体２０をパソコンやテレビ受像機などの再生装置に装填して、レシピ映像をモニタしながら、このレシピ映像や音声ガイドにしたがって調理を進める。インスタント食品といえども、最近では本格的な味や具を追求するように、購買者層の嗜好が変化してきているので、メーカが推奨する調理手順にしたがって、メーカが推奨する調理時間を守りながら調理する必要があるからである。
【００３０】
再生装置としてパソコンを使用した場合を例示すると、この再生装置３０は図１のように構成されるものである。図１に示す再生装置３０は、全体の制御を司るＣＰＵからなる制御部３２と、記録媒体２０からの映像データや音声データの読み出し制御や、その他制御御プログラムが格納されたメモリ手段としてのＲＯＭ３４およびワーキング用のメモリ手段として使用されるＲＡＭ３６を有する。ＲＯＭ３４にはこの発明に係るレシピ情報表示を実現するためのレシピ情報表示プログラムも格納されている。
【００３１】
さらに、再生装置３０には液晶表示素子やＣＲＴなどが使用される表示用モニタ３８や、記録媒体２０の記録映像や、記録音声を再生するためのディスク再生部４０が設けられる。記録媒体２０に対する再生指示などは、例えばマウス４２などの外部入力手段が利用される。
【００３２】
記録媒体２０は、上述したようにＤＶＤ−ＲＯＭなどのディスクが使用されるものであるから、この記録媒体２０の作成は周知の手段を利用できる。図２はこの周知の手段を利用して記録媒体２０を作成する例である。まず、オリジナルデータ保存部４４には、インスタント食品に関するレシピ映像および音声ガイドの各データが保存されると共に、コマーシャルメーカなどより提供されたプロモーション映像データなどが保存されている。
【００３３】
これらレシピ映像、音声ガイドおよびプロモーション映像の各データは原盤作成部４６に供給されて、これらデータが記録されたディスク原盤（マスタ）が作成される。これらのデータには、さらにインタラクティブなやり取りが可能なように手順認識および手順制御用の簡易処理プログラム（全体としてレシピ情報表示プログラム）も組み込まれている。その後、スタンピング部４８に供給されてスタンパが形成され、このスタンパを用いて、梱包する商品に応じたレシピ映像やプロモーション映像が収録された記録媒体２０が商品の販売個数だけ作成される。
【００３４】
プロモーション映像は基本的には、記録媒体提供者（スポンサー）側によって企画される。レシピに関する映像は、記録媒体提供者側に委託することもできれば、当該映像情報をデータとして提供してもよい。
【００３５】
以上のようにして製作された記録媒体２０を図１に示す再生装置３０に装填して再生する場合、オートスタートとメニュースタートの何れかのスタートモードを採り得る。以下の例では説明の便宜上メニュースタートを例示する。
【００３６】
メニュースタートの場合、一番最初に、インスタント食品の出来上がりの映像を表示することができる。図４にその表示例を示す。図４の場合は、インスタント食品として天ぷらソバを例示する。そして、この同じ表示画面にはメニュー選択ボタン５０が表示される。このメニュー選択ボタン５０をマウス４２（リモコンでも可）で指定（クリック）すると、図５に示すような画面が表示される。
【００３７】
このメニュー画面は、インフォメーションメニュー画面であって、天ぷらソバのおいしい作り方（２通り）のメニュー欄５１（５１ａ、５１ｂ）と、その他のインフォメーションが表示される。その他のインフォメーションとしては、上述したプロモーション情報が含まれるもので、図５の表示例にしたがえば、まずインスタント食品メーカのコマーシャル用のメニュー欄（ＸＸ社製の製品一覧メニュー）５２、公開中の映画欄５４の他に、若者向けに、例えば「アイドルを捜せ」というタイトルメニューの欄５５や「これから発売されるゲーム」というタイトルメニューの欄５６など、レシピ映像とは全く別のコンテンツを、単独で選択できる複数のジャンルが表示される。
【００３８】
つまり、この記録媒体２０には、インスタント食品のような販売対象となる商品と一部関連のあるコンテンツと共に、販売対象となる商品とは関連のないコンテンツ（図５の例では、映画の予告やリミックス版、ゲームの販売予告やリミックス版など）が収録されている。もちろん、インスタント食品とは全く関係のないコンテンツ例えば上述したプロモーション映像のみを収録した記録媒体２０を、当該商品と一緒に販売することも可能である。
【００３９】
図５以外でも、これから配給が予定されている映画のリミックス版やメイキング版、アイドルオーディション、お笑いタレントによる漫才やコント、漫談、あらゆる映像・音楽・ＤＶＤメディアで提供されるゲームソフト（予告を含む）、タレントや俳優、アイドルを起用した英会話教室、タレントがお奨めする映画やテレビ番組など、特にそのジャンルを問わないが、客層（購買層）にあったジャンルのプロモーション映像が好ましい。
【００４０】
これは同じインスタント食品であったとしても、客層によって、例えば１０代の前半と後半の世代、２０代の前半の世代のように、世代ごとに味などを微妙に変えて販売されているからである。上述したプロモーション映像には、動画の他に、場合によっては静止画や、音声を含むものとする。
【００４１】
さらに、例えば医療機関の広告宣伝や、出版社の新版ものの紹介媒体、学校法人の案内などとしても利用できる。その場合の販売価格は、媒体込みの価格とすることもできれば、媒体は無料にした販売価格に設定することもできる。
【００４２】
さて、図５において、メニュー欄例えばメニュー欄５１ａをクリックしてレシピ映像を選択した場合には図６のような映像が表示されるものとする。天ぷらソバを食する場合であっても、そのレシピは２通り考えられるので、ユーザの好みに応じた作り方が選択される。この例では、図６のように天ぷらソバの作り方として、１つには天ぷらを後で入れる「かりかり天ぷら」、他には最初から天ぷらを入れてしまう「しんなり天ぷら」とが例示されている。それぞれを選択したときの表示例を次に説明する。
【００４３】
図７の表示例は、「しんなり天ぷら」のレシピ表示例であり、図８は「かりかり天ぷら」のレシピ表示例である。「しんなり天ぷら」のレシピ表示例から説明する。
【００４４】
「しんなり天ぷら」のレシピが選択されると、まず図７ａに示すような映像が表示される。調理手順（１）としては、丼ぶり（本体１２ａ）から、液体スープ、粉末スープ、かやく及び天ぷら（いずれも乾燥品）を取り出し、取り出したうちの中から粉末スープと、かやくの入っている袋を開けて丼ぶりの中に入れるまでの動作である。この一連の動作がレシピ映像（手順を示す動画）として再現される。レシピを行う者として、若人のアイドルのようなタレントを起用すると効果は抜群である。
【００４５】
この映像表示画面には、図７ａのように手順を示す文字列をテロップとして同時に映し出すこともできる。この映像表示と共に音声ガイドを行う。音声ガイドは例えば、「丼ぶりから液体スープ、粉末スープ、かやく、天ぷらを取り出し下さい。」「粉末スープとかやくの袋を開けて丼ぶりの中に入れて下さい。」のような内容が考えられる。
【００４６】
このとき、調理者の好みに合わせてトッピング材料を入れることを、追加説明するようなレシピ映像および音声ガイドすることもできる。
【００４７】
次に、図７ａの画面には、手順確認キーとして機能する「ＯＫボタン」５８が表示されているので、ユーザ（調理者）が上述した作業を終了したときには、この「ＯＫボタン」５８をクリックする。クリック処理は画面上でカーソルを移動させて行う。「ＯＫボタン」５８がクリックされると、図７ｂのような映像が表示される。
【００４８】
今回の調理手順（２）としては、丼ぶりに所定温度以上のお湯を丼ぶりの目印の位置まで注ぐことである。そのため、調理者が丼ぶり１２ａにお湯を注いでいる映像（動画）が表示される。また、映像表示と共に音声ガイドが再生される。このように視覚的にも聴覚的にも補助的な役割を果たすことができる。このとき、調理者が「ここまで」というように湯量を示せば、湯量が多すぎたり、逆に少なかったりするおれそがない。
【００４９】
お湯を注ぎ、蓋をしてから、「ＯＫボタン」５８をクリックすると、「３分間お待ち下さい」のような音声ガイドが行われる。この３分間はメーカが推奨する調理時間（指定調理時間）でもある。このメーカ推奨時間は調理者にとっては待機時間であり、待機時間の間は別段調理をすることもない。特にインスタント食品では全く何もしないでも差し支えない。西洋料理などでは、この空き時間を利用して「ソース」を作ったりすることがあるが、インスタント食品の場合には、そのような処理は存在しない場合が多い。
【００５０】
このような調理手順に至ったときには、上述したように調理手順を示す映像を表示すると共に、この映像表示に続けて、推奨時間に見合ったプロモーション映像が表示される。推奨時間が３分ならば、３分以内で終了するプロモーション映像が表示される。
【００５１】
プロモーション映像のコンテンツは問わない。上述したように当該インスタント食品のメーカ（製造元や販売元）に関するインフォメーション、例えば自社製品の紹介、新製品の紹介など自社のＰＲ映像でもよければ、当該インスタント食品とは全く関係がないプロモーション映像であってもよい。例えば、図５のメニュー画面に表示したように、広告代理店が仲介する他社製品を始めとして、上述したような購買層に的を絞ったインフォメーション（映画、アニメ、ゲーム、漫画等）映像などが考えられる。
【００５２】
同じインスタント食品であっても、その種類によって購買層が分かれている場合が多いので、そのようなときには記録媒体２０に収録すべきコンテンツとしてはその購買層をターゲットとする内容となる。つまり、同じインスタント食品であったとしてもその種類によって、記録媒体２０に収録すべきコンテンツを異ならせる。
【００５３】
一例として、１０代の後半が購買層（客層）であるようなインスタント食品に添付する記録媒体と、２０代の前半が購買層であるようなインスタント食品に添付する記録媒体とでは、収録されるコンテンツが例えば現在公開されている映画であっても、客層に応じてタイトルの違う映画のリミックス版が収録される。こうすることで、広告宣伝や販売促進キャンペーンを購買層に沿って、きめ細かに行うことができ、それによって記録媒体単体で広告宣伝や販売促進を行う場合よりも、遙かに効果のある広告宣伝や販売促進キャンペーンを行うことができる。
【００５４】
ここで、広告代理店等が取り扱うインフォメーションであるときには、記録媒体自体を広告代理店側で負担することが考えられるので、この場合にはインスタント食品メーカの負担が大幅に軽減されるから、その分販売価格を廉価に設定できる。プロモーション映像のコンテンツは、内容の異なる複数のコンテンツであってもよい。
【００５５】
プロモーション映像の表示が終了し、メーカ側が推奨する調理時間が経過すると、次の調理手順に関する音声ガイドが行われると共に、当該調理手順に関する映像が表示される。例えば「３分経ちました。次の調理手順に進みます。」のようにガイドされる。本例では音声ガイドのみの例である。
【００５６】
次に、次の調理手順（３）である内容を映像及び音声によってガイドする。図７ｄの例では、「蓋を開けて、液体スープを入れ、よく混ぜて下さい。」のようにガイドされる。液体スープを入れ終わり、「ＯＫボタン」５８がクリックされると、最後のガイドである「完成です。お召し上がり下さい」などに対応した映像と音声によりガイドされる（図７ｅ）。このとき、調理者の好みに合わせて刻みネギなどの嗜好材料を入れることを、追加説明するようなレシピ映像または音声によってガイドすることもできる。
【００５７】
調理手順（３）の作業が終了した段階で、「ＯＫボタン」５８をクリックすると、図５に示す初期メニュー画面に戻る。インスタント食品を食しているときは、メインメニューの中から好きなジャンル（コンテンツ）選んで、再生できることは言うまでもない。
【００５８】
このようにこの発明では、調理手順を映像表示するステップと、調理手順の映像表示と共にプロモーション映像を表示するステップとを用意することで、特定の調理手順が選択されたときには、当該調理手順に関する映像表示に加えて、プロモーション映像を表示することができる。
【００５９】
さて図６で、「かりかり天ぷら」をクリックすると図８に示すような調理手順で映像が表示され、音声ガイドがなされる。図７と類似する部分には対応する符号を付し、その説明を省略する。
【００６０】
「かりかり天ぷら」のレシピの場合には、天ぷらは最後に入れるので、図８ａから図８ｃまでは天ぷらなしの映像が表示されると共に、対応する音声ガイドが行われ、お湯を注いでからメーカ推奨時間である３分が経過するまでは、プロモーション映像が表示される（図８ｃ）。
【００６１】
そしてメーカ推奨時間が経過し、次の調理手順（３）となると、「蓋１２ａを開けて、液体スープを入れ、よく混ぜてから備え付けの天ぷらを入れて下さい。」のようにガイドされる（図８ｄ）。液体スープと天ぷらを入れ終わり、「ＯＫボタン」５８がクリックされると、図８ｅのように最後のガイドである「完成です。お召し上がり下さい」などに対応した映像と音声によりガイドされる。この状態で「ＯＫボタン」５８をクリックすると、図５に示す初期メニュー画面に戻る。
【００６２】
上述した実施例では、メインメニューに表示されたメニューのうち、インスタント食品のレシピに関するメニューを選択したときの表示例を説明したが、このメインメニューの中にも、図５に示すようにレシピ以外のジャンル（コンテンツ）のメニューが存在する。これらのうち特定のメニューを選択すると、当該メニューに表示されたコンテンツデータを再生できる。例えば「いま公開中の映画」の欄をクリックすると、例えば首都圏で公開中の映画（特に話題作）のリミックス版が所定時間だけ再生される。
【００６３】
したがって、このようなメニューは調理時間中に再生することもできれば、調理時間とは関係のない時間を利用しても再生できるので、上述したようにこの記録媒体は映画の製作会社や配給会社の販売促進媒体としても活用できる。販売促進媒体として活用できる関係で、図５に示すようにこの記録媒体に収録されるコンテンツとしては抱き合わせで販売されるインスタント食品とは全く無関係なコンテンツを収録できるため、純粋な広告宣伝媒体として利用できることになる。もちろん、プロモーション映像のみを収録した記録媒体であってもよい。
【００６４】
広告宣伝や販売促進をねらう側としとは、大量に量販される商品と共に一般需要者（購買者）に渡るものであり、しかも限られた需要者層に向けて情報を発信できるため、広告宣伝や販売促進の効果が極めて高い。
【００６５】
したがって、テレビコマーシャルや一般紙を利用したり、街頭での宣伝活動よりも遙かに効果があり、広告宣伝や販売促進を行う側が記録媒体の制作費を全て負担したとしても、結果として広告宣伝費や販売促進費を従前より抑えることができる。試算によると、現行の１０分の１以下で済むものと考えられる。
【００６６】
さて、図５から図８に示すような映像の表示および音声ガイドを実現するため、記録媒体２０には、対応する映像（動画と静止画）および音声がそれぞれ記録されると共に、「ＯＫボタン」５８に対応した簡単な処理プログラム（インタラクティブ対応の処理プログラム）が記録されている。
【００６７】
図９および図１０は上述したレシピ情報表示プログラムを実現するためのフローチャートの一例である。まず、図６に示す表示画面上で「しんなり天ぷら」が選択されたときには図９の処理となり（ステップ８１）、「丼ぶりから液体スープ、粉末スープ、かやく、天ぷらを取り出し下さい。」「粉末スープとかやくの袋を開けて丼ぶりの中に入れて下さい。」のような音声ガイドと共に、その作り方が再現される（ステップ８２）。
【００６８】
次に、手順確認キーとしての「ＯＫボタン」５８のクリック状態が監視され、所定時間クリック処理がなされないときにはワーニングメッセージを音声ガイドで行う（ステップ８３，８４）。
【００６９】
調理者が上述した作業を終了して、この「ＯＫボタン」５８がクリックされると、「お湯を指定位置まで注いで下さい。」と言う調理手順（２）の音声ガイドと、調理者が丼ぶりにお湯を注いでいる映像（動画）が再現される（ステップ８５）。
【００７０】
その後、「ＯＫボタン」５８のクリック状態が判別される。「ＯＫボタン」５８が押されないときは音声ガイドによるワーニングメッセージがなされる（ステップ８６，８７）。［ＯＫボタン」がクリックされると、「３分間待って下さい。」旨の音声によるガイドがなされると共に、プロモーション映像の再生が開始される（ステップ８６，８８）。
【００７１】
ステップ８５で「ＯＫぼたん」５８がクリックされることによって、調理手順（２）の説明が音声によってなされ、対応する映像が表示されることになるが、対応する映像表示が終了した後、直ちにプロモーション映像を表示することもできる。つまり、ボタンによる確認操作であるステップ８６と８７を省くこともできる。
【００７２】
お湯を注いでから、３分間が経過し、同時にプロモーション映像の再生が終了すると、「３分が経ちました。」と言う音声によるガイドがなされる（ステップ８９）。この音声ガイドが終了すると、次に「蓋１２ｂをとって、液体スープを注ぎ、よく混ぜてから天ぷらを入れて下さい。」と言う音声ガイドと共に、映像が再現され（ステップ９０）、その後で「レシピ終了です。お召し上がり下さい。」の音声ガイドと対応する映像が再現され（ステップ９１）、「ＯＫボタン」５８をクリックすることで図５に示すメインメニュー画面に戻ることができる。
【００７３】
ステップ８１で、「かりかり天ぷら」のレシピが選択されたと判断されたときには、図１０に示すように、ステップ８２〜９１と同じような調理手順が再現される（図１０ステップ１０１〜１１０）。「かりかり天ぷら」の場合にはステップ１０９（図９のステップ９０に相当する）のときに、開封した天ぷらがソバの上に載せて完成となるので、それまでの調理手順（ステップ１０２〜１０８）は「しんなり天ぷら」の調理手順（ステップ８２〜８９）と殆ど同じであるので、説明は割愛する。
【００７４】
上述した実施例では、メニュースタートすると、直ちに図５に示すメニュー画面が表示されるようにしたが、このメニュー画面表示の前に、特定のプロモーション映像を所定時間表示し、プロモーション映像が終了してから図５のメニュー画面を表示するようにしてもよい。このときのプロモーション映像はレシピの映像表示中に挿入されたプロモーション映像との関連がなくてもよい。あるいは、レシピの映像表示が終了してから、所定時間特定のプロモーション映像を表示するようにしてもよい。
【００７５】
また、インスタント食品であっても、季節にマッチした商品である場合には、季節ごとに収録すべきコンテンツを変えた記録媒体２０を提供することもできれば、月単位や、隔月単位で、収録すべきコンテンツを変えた記録媒体２０を提供することもできる。特に、量販される商品の場合には、万単位の個数となるから、コンテンツ変えた記録媒体２０を提供しても、記録媒体２０自体の製造コストがアップするようなことはない。
【００７６】
なお、コンテンツを変えるようなときには、その予告映像などを記録媒体２０に収録しておけば、インスタント食品などの購買欲をそそることにもつながり、結果として記録媒体２０による宣伝効果や販売促進を助長することになる。予告広告などは認知しやすいように、インスタント食品の本体１２ａの側面や、蓋１２ａ、１４に印刷しておくこともできる。
【００７７】
本体１２ａの側面あるいは蓋１２ａ、１４などには、記録媒体２０に収録されたプロモーション映像に関連した広告宣伝文（写真を含む）や販売促進文（写真を含む）などを印刷しておくこともできる。
【００７８】
記録媒体２０を添える商品としては、レトルト食品、冷凍食品などの上述したインスタント食品に限らず、レシピを基にして調理するものであって、調理時間および調理手順がそれぞれほぼ固定されているものであればよい。
【産業上の利用可能性】
【００７９】
この発明は、インスタント食品などの食べ物に関する商品にそのプレミアム（景品）的に、ＤＶＤ−ＲＯＭなどの記録媒体を付けることで、当該商品にとっては記録媒体が販売促進媒体として機能し、当該記録媒体にとっては当該商品が広告宣伝媒体の頒布および認知媒体として機能するので、この発明はインスタント食品と記録媒体とを融合させて販売する商品などに適用して極めて好適である。
【図面の簡単な説明】
【００８０】
【図１】この発明に係る記録媒体の再生装置として利用できるパソコンの要部の系統図である。
【図２】記録媒体の生成装置の一例を示す要部の系統図である。
【図３】インスタント食品と記録媒体とのパッケージの関係を示す要部断面図である。
【図４】記録媒体を再生したときの画面表示例を示す図である。
【図５】メインメニュー画面の表示例を示す図である。
【図６】レシピメニューを選択したときの表示例を示す図である。
【図７】レシピとして、インスタントの天ぷらソバを選択したときの表示例を示す図である（その１）。
【図８】レシピとして、インスタントの天ぷらソバを選択したときの表示例を示す図である（その２）。
【図９】レシピとして、インスタントの天ぷらソバを選択したときの処理例を示すフローチャートである（その１）。
【図１０】レシピとして、インスタントの天ぷらソバを選択したときの処理例を示すフローチャートである（その２）。
【符号の説明】
【００８１】
１０・・・インスタント食品
１２ａ・・・本体
１２ｂ・・・蓋
２０・・・記録媒体
３０・・・再生装置
３８・・・表示モニタ
４０・・・ディスク再生部
【図１】
2005044332.tif 000003
【図２】
2005044332.tif 000004
【図３】
2005044332.tif 000005
【図４】
2005044332.tif 000006
【図５】
2005044332.tif 000007
【図６】
2005044332.tif 000008
【図７】
2005044332.tif 000009
【図８】
2005044332.tif 000010
【図９】
2005044332.tif 000011
【図１０】
2005044332.tif 000012